(57)【要約】【課題】  ＩＣチップと磁気ストライプが一体の一体型カードを使用する場合にカードの挿入方向を間違えても再挿入することなく取引を行えるようにする。【解決手段】  自動取引装置のカードリーダライタ２１にカードの向きを変換するための回転台３０を設ける。カードの磁気ストライプにはＩＣ接点有無情報およびＩＣ接点位置情報を持たせ、磁気ヘッド２８によりこれらの情報を読取り、読取られた情報に基づいて、必要な場合にカードを回転台３０へ送ってカードの向きを反転させ、ＩＣ接点を接続して取引を行う。【選択図】  図１
2006092140.tif 000002
【特許請求の範囲】
【請求項１】
カードの磁気情報を読取って取引を行う自動取引装置において、
装置に挿入されたカードの向きを変える向き変換手段と、
装置に挿入されたカードから読取られた磁気情報に基づいて前記向き変換手段を駆動してカードの向きを変える制御手段とを設けたことを特徴とする自動取引装置。
【請求項２】
前記向き変換手段は、カードを載置可能で回転可能なテーブルと、該テーブルを回転駆動させる駆動手段とから成る請求項１記載の自動取引装置。
【請求項３】
前記カードは複数の磁気情報記録部を有し、該カードがどちらから装置に挿入されてもいずれかの磁気情報記録部から磁気情報を読取り可能であり、
前記制御手段は、該カードがどちらから装置に挿入されても読取られた磁気情報に基づいて前記向き変換手段を駆動するか否かを判断する請求項１記載の自動取引装置。
【請求項４】
カードが誤って挿入された場合に、顧客に正しい挿入方向をガイダンスするガイダンス手段を設けた請求項１または請求項３記載の自動取引装置。
【発明の詳細な説明】
【技術分野】
【０００１】
本発明は、金融機関等で使用される自動取引装置に関し、とくにカードを何れの方向から挿入しても取引可能にした自動取引装置に関する。
【背景技術】
【０００２】
従来、自動取引装置による取引において、顧客が使用する取引用の磁気カードには１本の磁気ストライプが設けられており、取引の際に磁気カードを誤った方向から装置に挿入した場合、装置側が受け付けを拒否し、一旦顧客に返却される。そして挿入方向を変えて再度磁気カードを装置に挿入することにより、取引を開始するようにしていた。しかしながら磁気カードを再度挿入する操作は、自動取引装置を使用する顧客にとって煩雑である。
【０００３】
近年、キャッシュカードやクレジットカードのＩＣカード化が進み、ＩＣチップと一体型の磁気カード（以下、一体型カードという）が急速に普及している。こうした一体型カードの場合、以下の理由でカード挿入時の煩雑さが更に増すことになる。
【０００４】
まず図２３を用いて一体型カードについて説明する。図２３は一般的な一体型カードを示す説明図である。図２３において、一体型カード１は、表面上部にクレジットカード用の磁気ストライプ２およびＩＣチップ接点３が設けられ、表面下部にキャッシュカード用の磁気ストライプ４が設けられている。ＩＣチップ３にはキャッシュカードやクレジットカード用のデータが格納されており、ＩＣカード対応になっている自動取引装置に挿入された場合は磁気ストライプ２、３を使用することなく、キャッシュ取引やクレジット取引が可能である。
【０００５】
図２４に自動取引装置のカードリーダライタを示す。図２４（ａ）はその平面図で、図２４（ｂ）はその側面図である。図２４において、自動取引装置のカードリーダライタ１１には、カードを搬送するための搬送路１２が設けられ、搬送路１２を挟んで複数の搬送ローラ１３、１４、１５がそれぞれ回転可能に設けられている。搬送路１２の上方にＩＣチップ用接点１６が設けられ、さらに磁気ヘッド１７が設けられている。ＩＣチップ用接点１６および磁気ヘッド１７は、図  ２４（ａ）に示すように、カード挿入方向に対して右側に設けられている。
【０００６】
次に一体型カードを使用した場合の顧客の操作について説明する。この場合、ＩＣチップ３にはキャッシュカード用のデータとクレジットカード用のデータの両方が格納されているものとする。またＩＣカード対応になっている自動取引装置に一体型カード１が挿入された場合は、磁気ストライプデータを使用しないこととする。
【０００７】
パターン１．自動取引装置の仕様がＩＣカード対応済で、かつ顧客の希望取引がキャッシュ取引で、かつ一体型カードを図２３に示す左方向から挿入した場合について説明する。この場合は、一体型カード１のＩＣチップ接点３が装置側のＩＣチップ用接点１６に接続し、また自動取引装置はＩＣカード対応になっているので、キャッシュ取引はＩＣチップに格納されたデータにより行われることになる。即ち、この場合はＩＣチップに格納されたキャッシュカードデータへのアクセスが可能となり、一体型カード１の再挿入操作は不要となる。
【０００８】
パターン２．自動取引装置の仕様がＩＣカード対応済で、かつ顧客の希望取引がキャッシュ取引で、かつ一体型カードを図２３に示す右方向から挿入した場合について説明する。この場合は、自動取引装置はＩＣカード対応になっているので、キャッシュ取引はＩＣチップに格納されたデータにより行われることになっているが、一体型カード１のＩＣチップ接点３が装置側のＩＣチップ用接点１６に接続しないので、ＩＣチップに格納されたキャッシュカードデータへのアクセスが不可能となり、一体型カード１の再挿入操作が必要となる。
【０００９】
パターン３．自動取引装置の仕様がＩＣカード対応済で、かつ顧客の希望取引がクレジット取引で、かつ一体型カードを図２３に示す左方向から挿入した場合について説明する。この場合は、自動取引装置はＩＣカード対応になっているので、クレジット取引はＩＣチップに格納されたデータにより行われることになる。また一体型カード１のＩＣチップ接点３が装置側のＩＣチップ用接点１６に接続するので、ＩＣチップに格納されたクレジットカードデータへのアクセスが可能となり、一体型カード１の再挿入操作は不要となる。
【００１０】
パターン４．自動取引装置の仕様がＩＣカード対応済で、かつ顧客の希望取引がクレジット取引で、かつ一体型カードを図２３に示す右方向から挿入した場合について説明する。この場合は、自動取引装置はＩＣカード対応になっているので、クレジット取引はＩＣチップに格納されたデータにより行われることになっているが、一体型カード１のＩＣチップ接点３が装置側のＩＣチップ用接点１６に接続しないので、ＩＣチップに格納されたクレジットカードデータへのアクセスが不可能となり、一体型カード１の再挿入操作が必要となる。
【００１１】
パターン５．自動取引装置の仕様がＩＣカード未対応で、かつ顧客の希望取引がキャッシュ取引で、かつ一体型カードを図２３に示す左方向から挿入した場合について説明する。この場合は、自動取引装置はＩＣカード未対応になっているので、キャッシュ取引は磁気ストライプ４のデータにより行われることになる。この場合は、磁気ヘッド１７でキャッシュカードデータの磁気ストライプ４を読取ることができないので、一体型カード１の再挿入操作が必要となる。
【００１２】
パターン６．自動取引装置の仕様がＩＣカード未対応で、かつ顧客の希望取引がキャッシュ取引で、かつ一体型カードを図２３に示す右方向から挿入した場合について説明する。この場合は、自動取引装置はＩＣカード未対応になっているので、キャッシュ取引は磁気ストライプ４のデータにより行われることになる。この場合は、磁気ヘッド１７でキャッシュカードデータの磁気ストライプ４を読取ることができるので、一体型カード１の再挿入操作は不要となる。
【００１３】
パターン７．自動取引装置の仕様がＩＣカード未対応で、かつ顧客の希望取引がクレジット取引で、かつ一体型カードを図２３に示す左方向から挿入した場合について説明する。この場合は、自動取引装置はＩＣカード未対応になっているので、クレジット取引は磁気ストライプ２のクレジットカードデータにより行われることになる。この場合は、磁気ヘッド１７でクレジットカードデータの磁気ストライプ２を読取ることができないので、一体型カード１の再挿入操作は不要となる。
【００１４】
パターン８．自動取引装置の仕様がＩＣカード未対応で、かつ顧客の希望取引がクレジット取引で、かつ一体型カードを図２３に示す右方向から挿入した場合について説明する。この場合は、自動取引装置はＩＣカード未対応になっているので、クレジット取引は磁気ストライプ２のクレジットカードデータにより行われることになる。この場合は、磁気ヘッド１７でクレジットカードデータの磁気ストライプ４を読取ることができないので、一体型カード１の再挿入操作が必要となる。以上の各パターンをまとめて表１に示す。
【００１５】
【表１】
2006092140.tif 000003
他方、キャッシュ取引用の磁気ストライプとクレジット取引用の磁気ストライプの２本の磁気ストライプを備えた所謂ダブルストライプカードが開発されている。こうしたダブルストライプカードにおいても、取引によって挿入方向が決まっており、挿入方向を間違えた場合には再挿入をしなければならない。（特開平６−２５９６４０号公報参照）
【特許文献１】特開平６−２５９６４０号公報
【発明の開示】
【発明が解決しようとする課題】
【００１６】
しかしながら従来の自動取引装置での取引においては、ＩＣカード対応済の自動取引装置とＩＣカード未対応の自動取引装置とでは、同じキャッシュ取引を行なう場合でもカード１の挿入方向が異なる（パターン１とパターン５、およびパターン２とパターン６参照）。金融機関毎に自動取引装置のＩＣカード対応化に対する対応が区々であるので、一体型カードを所有する顧客は、各金融機関それぞれの自動取引装置がＩＣカード対応になっているか否かを調べた上で一体型カードの挿入方向を判断しなければならない。このことは顧客に無用な負担を強いることになる。
またダブルストライプカードでの取引においても、挿入方向を間違えた場合には再挿入をしなければならず、自動取引装置を使用する顧客にとって煩雑であることに変わりはない。
【課題を解決するための手段】
【００１７】
上記課題を解決するために本発明は、カードの磁気情報を読取って取引を行う自動取引装置において、装置に挿入されたカードの向きを変える向き変換手段と、装置に挿入されたカードから読取られた磁気情報に基づいて前記向き変換手段を駆動してカードの向きを変える制御手段とを設けたことを特徴とするものである。
【００１８】
カードは複数の磁気情報記録部を有し、カードがどちらから装置に挿入されてもいずれかの磁気情報記録部から磁気情報を読取り可能であり、制御手段は、カードがどちらから装置に挿入されても読取られた磁気情報に基づいて向き変換手段を駆動するか否かを判断するようにする。
【発明の効果】
【００１９】
本発明によれば、カードがいずれの方向から装置に挿入されても、カードから読取った情報によりカードの向きを変える必要があるか否か判断し、必要がある場合は向き変換手段によりカードの向きを１８０度変えるので、顧客がカードの挿入方向を間違えた場合でも、再挿入することなく所望の処理が可能である。
【発明を実施するための最良の形態】
【００２０】
以下、本発明の実施の形態を図面にしたがって説明する。各図面に共通する要素には同一の符号を付す。図１は本発明の第1の実施の形態における自動取引装置のカードリーダライタを示す概略側面図、図２は同カードリーダライタを示す概略平面図、図３は同カードリーダライタを示す概略正面図である。
【００２１】
これらの図において、自動取引装置に設けられるカードリーダライタ２１には、カードを搬送するための搬送路２２が形成され、搬送路２２を挟んで複数の搬送ローラ対２３、２４、２５が設けられている。搬送ローラ対２３は、上側搬送ローラ２３ａと下側搬送ローラ２３ｂからなり、上側搬送ローラ２３ａが後述する搬送モータから駆動力を供給され、下側搬送ローラ２３ｂはカードを介して上側搬送ローラ２３ａに圧接することにより従動回転する。搬送ローラ対２３は、顧客が挿入口２６から挿入したカードをカードリーダライタ２１内に引き込み、ＩＣカード接点２７または次の搬送ローラ対２４へと搬送する。
【００２２】
搬送ローラ対２４は、上側搬送ローラ２４ａと下側搬送ローラ２４ｂからなり、上側搬送ローラ２４ａが後述する搬送モータから駆動力を供給され、下側搬送ローラ２４ｂはカードを介して上側搬送ローラ２４ａに圧接することにより従動回転する。搬送ローラ対２４は、搬送ローラ対２３から搬送されてきたカードを磁気ヘッド２８または次の搬送ローラ対２５へと搬送する。
【００２３】
搬送ローラ対２５は、上側搬送ローラ２５ａと下側搬送ローラ２５ｂからなり、上側搬送ローラ２５ａが後述する搬送モータから駆動力を供給され、下側搬送ローラ２５ｂはカードを介して上側搬送ローラ２５ａに圧接することにより従動回転する。搬送ローラ対２５は、搬送ローラ対２４から搬送されてきたカードを次の搬送ローラ対２９へと搬送する。
【００２４】
ＩＣカード接点２７は、ＩＣチップ付ダブル磁気ストライプカードのＩＣチップ内のデータリードまたはデータライトを行うための接点である。磁気ヘッド２８は、ＪＩＳＸ６３０２で規定された磁気ストライプのリードまたはライトを行うものである。
【００２５】
搬送ローラ対２５の奥側（挿入口２６の反対側）には、回転台３０が設けられている。回転台３０は搬送されてきたカードを１８０度回転させるためのもので、回転台３０の中央下部にはシャフト３１を介してギア３２が取付けられている。回転台３０には、その上部に搬送路３３が形成され、また搬送ローラ対２９の下側搬送ローラ２９ｂが回転可能に設けられている。下側搬送ローラ２９ｂは、上部ユニット３４に設けられた上側搬送ローラ２９ａとともにカードを搬送する。
【００２６】
回転台３０の下部には遮光板３５が設けられている。遮光板３５は、発光素子と受光素子とからなる回転台センサ３６、３７の発光素子からの光を遮断することにより、回転台３０の位置を検出するためのものである。回転台センサ３６、３７はシャフト３１を中心に互いに対称の位置に設けられ、ともに発光素子として発光ダイオードを使用し、受光素子としてフォトトランジスタを使用している。
【００２７】
シャフト３１に設けられたギア３２は、回転台モータ３８に取付けられたギア３９と噛合っている。回転台モータ３８が回転することにより、ギア３９およびギア３２を介して回転台３０が回転する。
【００２８】
ＩＣチップ付ダブル磁気ストライプカード（以下、単にカードということもある）１は、図２３に示したものと同様の構成を有するものである。即ち、カード１は、表面上部にクレジットカード用の磁気ストライプ２およびＩＣチップ接点３が設けられ、表面下部にキャッシュカード用の磁気ストライプ４が設けられている。内蔵されたＩＣチップにはキャッシュカードやクレジットカード用のデータが格納されており、ＩＣカード対応になっている自動取引装置に挿入された場合は磁気ストライプ２、３を使用することなく、キャッシュ取引やクレジット取引が可能である。
【００２９】
図４は第１の実施の形態における自動取引装置のカードリーダライタを示すブロック図である。図４において、制御部４１は、カードリーダライタ２１の動作を制御するもので、自動取引装置の主制御部４２に接続されているとともに、以下に説明する各部に接続されている。読取回路４３はカード１からＩＣチップ内のデータを読取って制御部４１へ送信する回路で、制御部４１およびＩＣチップ用接点２７に接続されている。
【００３０】
書込回路４４は制御部４１から受信したデータをカード１のＩＣチップに書込むための回路で、制御部４１およびＩＣチップ用接点２７に接続されている。読取回路４５は、カード１の磁気ストライプ２または４のデータを読取って制御部４１へ送信するための回路で、制御部４１および磁気ヘッド２８に接続されている。書込回路４６は、制御部４１から受信したデータをカード１の磁気ストライプ２または４に書込むための回路で、制御部４１および磁気ヘッド２８に接続されている。
【００３１】
センサ回路４７は、カードリーダライタ２１に挿入されたカード１の位置を検出するためのカード検知センサ４８を駆動するとともに、カード検知センサ４８からの出力信号を受信するための回路で、制御部４１およびカード検知センサ４８に接続されている。なおカード検知センサ４８は１つではなく、搬送路２２の必要箇所に複数個配設されている。カード検知センサ４８は発光ダイオードと受光トランジスタが一体成形された反射型の光センサである。駆動回路４９は、搬送モータ５０を駆動する回路である。搬送モータ５０は上述したカードリーダライタ２１内の搬送ローラ対２３、２４、２５を駆動するものである。
【００３２】
センサ回路５１は、回転台３０の下部に設けられた回転台センサ３６、３７を駆動させるとともに、回転台３０上部の搬送路３３に搬送されたカード１の位置を検知するためのカード検知センサ５２を駆動する回路で、これらのセンサ３６、３７、５２からの出力信号を受信する。カード検知センサ５２は発光ダイオードと受光トランジスタが一体成形された反射型の光センサである。駆動回路５３は、回転台モータ３８を駆動するためのモータである。
【００３３】
センサ回路５１および駆動回路５３およびそれらに接続された各部により回転機構部５４を構成する。回転機構部５４により回転台３０の動作を中心とするカード１の向き変換動作を行う。
【００３４】
次に第１の実施の形態の動作を説明するが、その前にここでカード１の磁気ストライプ２、４の磁気データの構成について説明する。図５はクレジットカードの磁気ストライプのデータ構成を示す説明図、図６はキャッシュカードの磁気ストライプのデータ構成を示す説明図である。
【００３５】
図５において、クレジットカードの磁気ストライプ２のデータ仕様は、始め符号２ａ、クレジットカード情報２ｂ、ＩＣ接点情報２ｃ、終わり符号２ｄ等から構成されている。そしてＩＣ接点情報２ｃには、ＩＣ接点有無情報２ｃａおよびＩＣ接点位置情報２ｃｂが含まれている。
【００３６】
ＩＣ接点有無情報２ｃａは、ＩＣ接点があるカードであること、またはＩＣ接点がないカードであることを示す情報で、このデータが"０"の場合はＩＣ接点がないカードであることを示し、データが"１"の場合はＩＣ接点があるカードであることを示す。本実施の形態におけるカード１はＩＣ接点があるカードであるので、ＩＣ接点有無情報２ｃａは"１"となっている。
【００３７】
ＩＣ接点位置情報２ｃｂは、挿入されたカードを１８０度回転させなくてもＩＣ接点にアクセス可能か否かを示す情報で、このデータが"０"の場合はカードを１８０度回転させなくてもＩＣ接点にアクセス可能であることを示し、データが"１"の場合はカードを１８０度回転させなければＩＣ接点にアクセスできないことを示す。クレジットカードの磁気ストライプ２が読取られる場合はカードを１８０度回転させなくてもＩＣ接点にアクセス可能であるので、ＩＣ接点位置情報２ｃｂは"０"となっている。
【００３８】
図６において、キャッシュカードの磁気ストライプ４のデータ仕様は、始め符号２ａ、キャッシュカード情報４ｂ、ＩＣ接点情報４ｃ、終わり符号４ｄ等から構成されている。そしてＩＣ接点情報４ｃには、ＩＣ接点有無情報４ｃａおよびＩＣ接点位置情報４ｃｂが含まれている。
【００３９】
ＩＣ接点有無情報４ｃａは、ＩＣ接点があるカードであること、またはＩＣ接点がないカードであることを示す情報で、このデータが"０"の場合はＩＣ接点がないカードであることを示し、データが"１"の場合はＩＣ接点があるカードであることを示す。本実施の形態におけるカード１はＩＣ接点があるカードであるので、ＩＣ接点有無情報４ｃａは"１"となっている。
【００４０】
ＩＣ接点位置情報４ｃｂは、挿入されたカードを１８０度回転させなくてもＩＣ接点にアクセス可能か否かを示す情報で、このデータが"０"の場合はカードを１８０度回転させなくてもＩＣ接点にアクセス可能であることを示し、データが"１"の場合はカードを１８０度回転させなければＩＣ接点にアクセスできないことを示す。キャッシュカードの磁気ストライプ４が読取られる場合はカードを１８０度回転させなければＩＣ接点にアクセスできないので、ＩＣ接点位置情報４ｃｂは"１"となっている。
【００４１】
次にカード１を挿入して取引を行う場合の特にカード１の動作を更に図面にしたがって説明する。ここではＩＣチップ付ダブル磁気ストライプカード１を所有する顧客が、ＩＣカード対応済みの自動取引装置でキャッシュ取引を行う場合で、ＩＣチップ付ダブル磁気ストライプカード１を、図２３に示す左方向から挿入した場合の動作を説明する。図７乃至図１０はこの場合のカードの動作を示す動作説明図である。
【００４２】
図７に示すように、顧客がＩＣチップ付ダブル磁気ストライプカード１を挿入口２６から挿入すると、カード検知センサ４８によりカード１が検知され、検知信号が制御部４１へ送られる。検知信号を受信した制御部４１は、駆動回路４９を介して、カード１が回転台３０の方向へ搬送されるように搬送モータ５０を駆動させる。搬送モータ５０が駆動されることにより、図示しないベルトで連結されている搬送ローラ対２３、２４、２５に動力が伝達され、カード１は回転台３０の方向へ搬送され始める。
【００４３】
カード１の全体が装置内に引き込まれると、カード検知センサ４８により、カード全体が引き込まれたことを示す信号がセンサ回路４７を介して制御部４１へ通知される。この通知を受けた制御部４１は、駆動回路４９に駆動停止の指示を送信し、搬送モータ５０を停止させる。同時に制御部４１は、自動取引装置の主制御部４２に対して、カード１の吸引動作が完了したことを通知する。（図７に示す状態）
【００４４】
カード１の吸入動作が完了したという通知を受けた主制御部４２は、磁気リード動作を制御部４１に指示する。磁気リード動作の指示を受けた制御部４１は、駆動回路４９を介して、カード１が回転台３０の方向へ搬送されるように搬送モータ５０を駆動させる。搬送モータ５０が駆動されることにより、図示しないベルトで連結されている搬送ローラ対２３、２４、２５に動力が伝達され、カード１は回転台３０の方向へ再び搬送され始める。
【００４５】
次に制御部４１は、読取回路４５を介して磁気ヘッド２８によりカード１の磁気ストライプ２から磁気データを読取る。カード１の全体が磁気ヘッド２８を通過すると、カード検知センサ４８により、磁気ヘッド２８を通過したことを示す信号がセンサ回路４７を介して制御部４１へ送られる。カード１の全体が磁気ヘッド２８を通過した信号を受け取ると、制御部４１は駆動回路４９に駆動停止の指示を送信し、搬送モータ５０を停止させて、磁気データの読み取りを停止させる。（図８に示す左側のカード１の状態）
【００４６】
次に制御部４１は、読取った磁気データを主制御部４２へ送信する。クレジットカードの磁気ストライプ２の仕様は、図５で説明した通りである。読取られた磁気データにはＩＣ接点情報２ｃとして、ＩＣ接点有無情報２ｃａとＩＣ接点位置情報２ｃｂが含まれており、磁気ストライプ２から読取られた磁気データではＩＣ接点位置情報２ｃｂが"０"となっている。この情報により主制御部４２は、カード１を回転する必要がないと判断し、ＩＣリード準備動作を制御部４１に指示する。
【００４７】
ＩＣリード準備動作の指示を受けた制御部４１は、駆動回路４９を介して、カード１がＩＣカード用接点２７の方向に搬送されるように搬送モータ５０を駆動させる。搬送モータ５０が駆動されることにより、図示しないベルトで連結されている搬送ローラ対２３、２４、２５に動力が伝達され、カード１はＩＣカード用接点２７の方向へ搬送され始める。図８に示すように、カード１のＩＣ接点部３がＩＣカード用接点２７に到達すると、カード検知センサ４８によりその到達が検知され、センサ回路４７を介して制御部４１に通知される。
【００４８】
カード１のＩＣ接点部３がＩＣカード用接点２７に到達したことが通知された制御部４１は、駆動回路４９に駆動停止の指示を送信し、搬送モータ５０を停止させる。同時に制御部４１は、主制御部４２に対してＩＣリード準備動作が完了したことを通知する。
【００４９】
ＩＣリード準備動作の完了通知を受けた主制御部４２は、制御部４１に対してＩＣリード動作を指示する。ＩＣリード動作の指示を受けた制御部４１は、読取回路４３を介してＩＣチップ内のデータを読取り、読取ったデータを主制御部４２へ送信する。ＩＣチップからの読取りデータを受け取った主制御部４２は、制御部４１に対してカード返却準備動作を指示する。
【００５０】
カード返却準備動作の指示を受けた制御部４１は、駆動回路４９を介して、カード１が挿入口２６の方向に搬送されるように搬送モータ５０を駆動させる。搬送モータ５０が駆動されることにより、図示しないベルトで連結されている搬送ローラ対２３、２４、２５に動力が伝達され、図９に示すように、カード１は挿入口２６の方向へ搬送され始める。
【００５１】
図９に示すように、カード１が挿入口２６から排出される直前の位置まで搬送されると、カード検知センサ４８によりその位置が検知され、センサ回路４７を介して制御部４１に通知される。カード１が挿入口２６の直前まで搬送されたことを通知された制御部４１は、駆動回路４９に駆動停止の指示を送信して搬送モータ５０を停止させる。同時に制御部４１は、主制御部４２に対してカード返却準備動作が完了したことを通知する。
【００５２】
次に主制御部４２は、カード１のＩＣチップ内から読取られたデータに基づいて、顧客が選択した取引、即ち、支払取引または預入取引等の取引を実行する。この取引動作については本発明と直接関係ないので説明を省略する。ここでの取引が完了すると、主制御部４１は、カード返却動作を制御部４１に対して指示する。
【００５３】
カード返却動作の指示を受けた制御部４１は、駆動回路４９を介して、カード１がさらに挿入口２６の方向に搬送されるように搬送モータ５０を駆動させる。搬送モータ５０が駆動されることにより、図示しないベルトで連結されている搬送ローラ対２３、２４、２５に動力が伝達され、カード１はさらに挿入口２６の方向へ搬送され始める。顧客がカード１を抜き取り可能な位置までカード１が搬送されると、カード検知センサ４８によりその位置が検知され、センサ回路４７を介して制御部４１に通知される。カード１が抜き取り可能な位置まで搬送されたことを通知された制御部４１は、駆動回路４９に駆動停止の指示を送信して搬送モータ５０を停止させ、顧客がカード１を抜き取るのを待つ。
【００５４】
図１０に示すように、カード１が顧客により抜き取られると、カード検知センサ４８により抜き取られたことが検知され、制御部４１に通知される。カード１が抜き取られたことを通知された制御部４１は、主制御部４２に対してカード返却動作が完了したことを通知する。以上によりカード１が図２３に示す左方向から挿入された場合の取引動作を終了する。
【００５５】
次にＩＣチップ付ダブル磁気ストライプカード１を所有する顧客が、ＩＣカード対応済みの自動取引装置でキャッシュ取引を行う場合で、ＩＣチップ付ダブル磁気ストライプカード１を、図  に示す右方向から挿入した場合の動作を説明する。図１１乃至図１７はこの場合のカードの動作を示す動作説明図である。
【００５６】
図１１において、顧客がＩＣチップ付ダブル磁気ストライプカード１を図２３に示す右方向から挿入口２６から挿入すると、カード検知センサ４８によりカード１が検知され、検知信号が制御部４１へ送られる。検知信号を受信した制御部４１は、駆動回路４９を介して、カード１が回転台３０の方向へ搬送されるように搬送モータ５０を駆動させる。搬送モータ５０が駆動されることにより、図示しないベルトで連結されている搬送ローラ対２３、２４、２５に動力が伝達され、カード１は回転台３０の方向へ搬送され始める。なおこのとき、回転台３０の下部に設けられた遮光板３５は、回転台センサ３６の発光素子と受光素子の間に位置している。
【００５７】
カード１の全体が装置内に引き込まれると、カード検知センサ４８により、カード全体が引き込まれたことを示す信号がセンサ回路４７を介して制御部４１へ通知される。この通知を受けた制御部４１は、駆動回路４９に駆動停止の指示を送信し、搬送モータ５０を停止させる。同時に制御部４１は、自動取引装置の主制御部４２に対して、カード１の吸引動作が完了したことを通知する。
【００５８】
カード１の吸入動作が完了したという通知を受けた主制御部４２は、磁気リード動作を制御部４１に指示する。磁気リード動作の指示を受けた制御部４１は、駆動回路４９を介して、カード１が回転台３０の方向へ搬送されるように搬送モータ５０を駆動させる。搬送モータ５０が駆動されることにより、図示しないベルトで連結されている搬送ローラ対２３、２４、２５に動力が伝達され、カード１は回転台３０の方向へ再び搬送され始める。
【００５９】
次に制御部４１は、読取回路４５を介して磁気ヘッド２８によりカード１のキャッシュカードの磁気ストライプ４から磁気データを読取る。カード１の全体が磁気ヘッド２８を通過すると、カード検知センサ４８により、磁気ヘッド２８を通過したことを示す信号がセンサ回路４７を介して制御部４１へ送られる。カード１の全体が磁気ヘッド２８を通過した信号を受け取ると、制御部４１は駆動回路４９に駆動停止の指示を送信し、搬送モータ５０を停止させて、磁気データの読み取りを停止させる。（図１２に示す右側のカード１の状態）
【００６０】
次に制御部４１は、読取った磁気データを主制御部４２へ送信する。キャッシュカードの磁気ストライプ４の仕様は、図６で説明した通りである。読取られた磁気データにはＩＣ接点情報４ｃとして、ＩＣ接点有無情報４ｃａとＩＣ接点位置情報４ｃｂが含まれており、磁気ストライプ４から読取られた磁気データではＩＣ接点位置情報４ｃｂが"１"となっている。この情報により主制御部４２は、カード１を回転する必要があると判断し、カード１の回転動作を制御部４１に指示する。
【００６１】
カード１の回転動作の指示を受けた制御部４１は、駆動回路４９を介して、カード１が回転台３０の方向に搬送されるように搬送モータ５０を駆動させる。搬送モータ５０が駆動されることにより、図示しないベルトで連結されている搬送ローラ対２３、２４、２５、２９に動力が伝達され、カード１は回転台３０の方向へ搬送され始める。図１２に示すように、カード１が回転台３０上に到達すると、カード検知センサ５２によりその到達が検知され、センサ回路５１を介して制御部４１に通知される。カード１が回転台３０上に到達したことが通知された制御部４１は、駆動回路４９に駆動停止の指示を送信し、搬送モータ５０を停止させ、カード１の搬送を停止させる。
【００６２】
次に制御部４１は、駆動回路５３を介して、回転駆動モータ３８を駆動する。回転駆動モータ３８が駆動されることにより、ギア３９、ギア３２およびシャフト３１を介して回転台３０が回転する。この様子を図１３に示す。この回転台３０の回転により、回転台３０の下部に設けられた遮光板３５が回転台センサ３６から抜け出す。図１４に示すように、回転台３０が１８０度回転すると、遮光板３５が反対側の回転台センサ３７に到達し、回転台センサ３７の発光素子の光を遮断する。これにより回転台３０の１８０度の回転が検知され、検知信号が回転台センサ７から制御部４１へ送信される。
【００６３】
回転台３０が１８０度回転した通知を受けた制御部４１は、駆動回路５３に駆動停止の指示を送信して回転駆動モータ３８を停止させ、回転台３０の回転を停止させる。同時に制御部４１は主制御部４２に対してカード回転動作が完了したことを通知する。
【００６４】
カード１の回転動作完了の通知を受けた主制御部４２は、ＩＣリード準備動作を制御部４１に指示する。ＩＣリード準備動作の指示を受けた制御部４１は、駆動回路４９を介して、カード１がＩＣカード用接点２７の方向に搬送されるよう搬送モータ５０を駆動させる。搬送モータ５０が駆動されることにより、図示しないベルトで連結されている搬送ローラ対２３、２４、２５、２９に動力が伝達され、カード１はＩＣカード用接点２７の方向へ搬送され始める。図１５に示すように、カード１のＩＣ接点部３がＩＣカード用接点２７に到達すると、カード検知センサ４８によりその位置が検知され、センサ回路４７を介して制御部４１に通知される。
【００６５】
カード１のＩＣ接点部３がＩＣカード用接点２７に到達したことを検知した制御部４１は、駆動回路４９に駆動停止の指示を送信し、搬送モータ５０を停止させ、カード１の搬送を停止させる。同時に主制御部４２に対してＩＣリード準備動作が完了したことを通知する。
【００６６】
ＩＣリード準備動作の完了通知を受けた主制御部４２は、制御部４１に対してＩＣリード動作を指示する。ＩＣリード動作の指示を受けた制御部４１は、読取回路４３を介してＩＣチップ内のデータを読取り、読取ったデータを主制御部４２へ送信する。ＩＣチップからの読取りデータを受け取った主制御部４２は、制御部４１に対してカード返却準備動作を指示する。
【００６７】
カード返却準備動作の指示を受けた制御部４１は、駆動回路４９を介して、カード１が挿入口２６の方向に搬送されるように搬送モータ５０を駆動させる。搬送モータ５０が駆動されることにより、図示しないベルトで連結されている搬送ローラ対２３、２４、２５に動力が伝達され、カード１は挿入口２６の方向へ搬送され始める。
【００６８】
図１６に示すように、カード１が挿入口２６から排出される直前の位置まで搬送されると、カード検知センサ４８によりその位置が検知され、センサ回路４７を介して制御部４１に通知される。カード１が挿入口２６の直前まで搬送されたことを通知された制御部４１は、駆動回路４９に駆動停止の指示を送信して搬送モータ５０を停止させる。同時に制御部４１は、主制御部４２に対してカード返却準備動作が完了したことを通知する。
【００６９】
次に主制御部４２は、カード１のＩＣチップ内から読取られたデータに基づいて、顧客が選択した取引、即ち、支払取引または預入取引等の取引を実行する。この取引動作については本発明と直接関係ないので説明を省略する。ここでの取引が完了すると、主制御部４１は、カード返却動作を制御部４１に対して指示する。
【００７０】
カード返却動作の指示を受けた制御部４１は、駆動回路４９を介して、カード１が挿入口２６の方向に搬送されるように搬送モータ５０を駆動させる。搬送モータ５０が駆動されることにより、図示しないベルトで連結されている搬送ローラ対２３、２４、２５に動力が伝達され、カード１はさらに挿入口２６の方向へ搬送され始める。図１７に示すように、顧客がカード１を抜き取り可能な位置までカード１が搬送されると、カード検知センサ４８によりその位置が検知され、センサ回路４７を介して制御部４１に通知される。カード１が抜き取り可能な位置まで搬送されたことを通知された制御部４１は、駆動回路４９に駆動停止の指示を送信して搬送モータ５０を停止させ、顧客がカード１を抜き取るのを待つ。
【００７１】
カード１が顧客により抜き取られると、カード検知センサ４８により抜き取られたことが検知され、制御部４１に通知される。カード１が抜き取られたことを通知された制御部４１は、主制御部４２に対してカード返却動作が完了したことを通知する。以上によりカード１が図  に示す右方向から挿入された場合の取引動作を終了する。
【００７２】
以上説明した２つの場合はいずれもキャッシュ取引について説明したが、クレジット取引の場合も、詳細な説明は特にしないが、図２３に示す左方向挿入の場合はカード１を回転することなく取引を行い、図２３に示す右方向挿入の場合はカード１を１８０度回転させて取引を行う。
【００７３】
以上のように第１の実施の形態によれば、挿入されたカードの向きを変える回転台を設けたので、顧客が挿入方向を間違えた場合でも、一旦顧客へカードを返却することなく所望の取引を行うことが可能になる。
【００７４】
次に本発明の第２の実施の形態を説明する。図１８は第２の実施の形態のカードリーダライタのブロック図である。第２の実施の形態は、前記第１の実施の形態の構成に加えて、ガイダンス手段を設けてカードの挿入方向を間違えた場合に顧客に対するガイダンス行うようにしたものである。
【００７５】
図１８において、制御部４１には第１の実施の形態で説明した要素のほかに、ガイダンス制御部５５および表示部５６が接続されている。ガイダンス制御部５５は、顧客がカードの挿入方向を間違えて挿入した場合に、顧客に対して正しい挿入方向をガイダンスするものである。表示部５６５は、自動取引装置に設けられ、操作の際に顧客から目視可能な位置にある。その他の構成は第１の実施の形態と同様である。
【００７６】
次に第２の実施の形態の動作を説明する。ここではガイダンス動作を説明する。図１９は第２の実施の形態のガイダンス動作を示すフローチャートである。なお説明においては、第１の実施の形態で使用した図を流用して説明する。
【００７７】
まず顧客は自動取引装置の図示しない操作部で取引項目を選択する。その際、表示部５６に、図２０に示すような、ＩＣカードを使用する取引を所望するか、またはＩＣカードを使用しない取引を所望するかの選択を顧客に行わせる表示を行う（ステップ１）。
【００７８】
ここで顧客がＩＣカードを使用する取引を選択すると（ステップ２）、即ち、「ＩＣカード」ボタン５７を押下すると、その情報は制御部４１へ送られる。その後顧客がカードを挿入口２６から挿入すると、第１の実施の形態で説明したように、カードリーダライタ内にカードが吸入され、カードの磁気ストライプの磁気データが磁気ヘッド２８により読取られる。なおステップ２で顧客がＩＣカードを使用しない取引を選択した場合は、即ち、「ＩＣカード以外」ボタン５８を押下した場合は、ガイダンス動作をすることはないのでこれ以降の説明を省略する。
【００７９】
ここで顧客が挿入したカードは、ＩＣカード対応済のダブルストライプカードまたはＩＣカード未対応のダブルストライプカードであるとする。そして何れの場合も、カードのクレジットカード用の磁気ストライプおよびキャッシュカード用の磁気ストライプには前述のＩＣ接点有無情報およびＩＣ接点位置情報が含まれているものとする。
【００８０】
読取られた磁気データは制御部４１へ送られ、制御部４１から磁気データ内のＩＣ接点有無情報およびＩＣ接点位置情報がガイダンス制御部５４へ送られる（ステップ３）。ガイダンス制御部５５では、送られてきた磁気データから、ＩＣ接点有無情報が"１"であるかどうか判断する（ステップ４）。即ち、挿入されたカードがＩＣ接点を有するものであるか否か判断する。
【００８１】
顧客はステップ２でＩＣカードを使用する取引を選択したので、ＩＣ接点有無情報が"１"でないと判断した場合、ガイダンス制御部５５は、取扱できないので交換すべき旨の図２１に示すガイダンスを表示部５６に表示する（ステップ５）。ＩＣ接点有無情報が"１"であると判断した場合、次にガイダンス制御部５５は、磁気データからＩＣ接点位置情報が"１"であるか否か判断する（ステップ６）。
【００８２】
ＩＣ接点位置情報が"１"であると判断した場合、ガイダンス制御部５５は、図２２に示すガイダンスを表示部５６に表示する（ステップ７）。図２２に示すガイダンスは、次回の取引時にカードを正しい方向で挿入することを依頼するものである。このようにガイダンスすることにより、次回取引時からは正しい方向からカードが挿入されることが期待でき、取引時間の短縮を図ることが可能となる。
【００８３】
なおＩＣ接点位置情報が"１"であると判断された場合は、第１の実施の形態で説明したようにカードが回転台３０により向きを変換され、ＩＣチップを使用した取引が行われる。またＩＣ接点位置情報が"０"であると判断した場合は、カードが正しく挿入されているので、ガイダンス表示することなく取引処理を行う。
【００８４】
以上のように第２の実施に形態では、顧客が自分の希望する取引に使用できないカードを挿入した場合に、カードを交換すべき旨のガイダンスを行うようにしたので、顧客は取引できない理由がすぐにわかり、即座に対応することができる。また、正しいカードが挿入されてもその挿入方向が違っていた場合に、そのときは取引を実行しつつ、カードの正しい挿入方向を示すガイダンスを表示するので、顧客は次取引時からは正しい挿入方向でカードを挿入することが期待され、その場合にはカードの回転動作が不要となるので、取引時間が短縮されることが期待できる。
【００８５】
上記各実施の形態ではＩＣチップを使用した取引について説明したが、顧客の所有するカードがＩＣ接点を持たないダブルストライプカードである場合にも本発明は適用可能である。この場合、クレジットカードの磁気ストライプ２にクレジット取引である旨の情報を持たせておき、またキャッシュカードの磁気ストライプ４にはキャッシュ取引である旨の情報を持たせておく。
【００８６】
そしてキャッシュ取引では、磁気ヘッド２８のある側にキャッシュカードの磁気ストライプ４が位置するようにダブルストライプカードが挿入された場合は、磁気ヘッド２８で読取った磁気データにキャッシュ取引である旨の情報があるので、回転動作をせず、そのまま取引を行う。また磁気ヘッド２８のある側にクレジットカードの磁気ストライプ２が位置するようにダブルストライプカードが挿入された場合には、磁気ヘッド２８で読取った磁気データにクレジット取引である旨の情報があるので、カードを１８０度回転させて、キャッシュ取引を行うようにする。
【００８７】
またクレジット取引では、磁気ヘッド２８のある側にキャッシュカードの磁気ストライプ４が位置するようにダブルストライプカードが挿入された場合は、磁気ヘッド２８で読取った磁気データにキャッシュ取引である旨の情報があるので、カードの回転動作を行い、クレジット取引を行う。また磁気ヘッド２８のある側にクレジットカードの磁気ストライプ２が位置するようにダブルストライプカードが挿入された場合には、磁気ヘッド２８で読取った磁気データにクレジット取引である旨の情報があるので、カードを回転させることなくクレジット取引を行う。
【００８８】
また上記各実施の形態では、自動取引装置に適用した例を示したが、本発明は汎用的なカードリーダライタにも適用可能である。
【図面の簡単な説明】
【００８９】
【図１】第1の実施の形態における自動取引装置のカードリーダライタを示す概略側面図である。
【図２】第1の実施の形態のカードリーダライタを示す概略平面図である。
【図３】第1の実施の形態のカードリーダライタを示す概略正面図である。
【図４】第１の実施の形態における自動取引装置のカードリーダライタを示すブロック図である。
【図５】クレジットカードの磁気ストライプのデータ構成を示す説明図である。
【図６】キャッシュカードの磁気ストライプのデータ構成を示す説明図である。
【図７】左方向挿入の場合のカードの動作を示す動作説明図である。
【図８】左方向挿入の場合のカードの動作を示す動作説明図である。
【図９】左方向挿入の場合のカードの動作を示す動作説明図である。
【図１０】左方向挿入の場合のカードの動作を示す動作説明図である。
【図１１】右方向挿入の場合のカードの動作を示す動作説明図である。
【図１２】右方向挿入の場合のカードの動作を示す動作説明図である。
【図１３】右方向挿入の場合のカードの動作を示す動作説明図である。
【図１４】右方向挿入の場合のカードの動作を示す動作説明図である。
【図１５】右方向挿入の場合のカードの動作を示す動作説明図である。
【図１６】右方向挿入の場合のカードの動作を示す動作説明図である。
【図１７】右方向挿入の場合のカードの動作を示す動作説明図である。
【図１８】第２の実施の形態のカードリーダライタのブロック図である。
【図１９】第２の実施の形態のガイダンス動作を示すフローチャートである。
【図２０】選択項目を表示する表示部を示す説明図である。
【図２１】ガイダンス表示を示す説明図である。
【図２２】ガイダンス表示を示す説明図である。
【図２３】一般的な一体型カードを示す説明図である。
【図２４】自動取引装置のカードリーダライタを示す概略構成図である。
【符号の説明】
【００９０】
１  ＩＣチップ付ダブル磁気ストライプカード
２、４  磁気ストライプ
３  ＩＣチップ接点
２７  ＩＣカード接点
２８  磁気ヘッド
３０  回転台
５５  ガイダンス制御部
【図１】
2006092140.tif 000004
【図２】
2006092140.tif 000005
【図３】
2006092140.tif 000006
【図４】
2006092140.tif 000007
【図５】
2006092140.tif 000008
【図６】
2006092140.tif 000009
【図７】
2006092140.tif 000010
【図８】
2006092140.tif 000011
【図９】
2006092140.tif 000012
【図１０】
2006092140.tif 000013
【図１１】
2006092140.tif 000014
【図１２】
2006092140.tif 000015
【図１３】
2006092140.tif 000016
【図１４】
2006092140.tif 000017
【図１５】
2006092140.tif 000018
【図１６】
2006092140.tif 000019
【図１７】
2006092140.tif 000020
【図１８】
2006092140.tif 000021
【図１９】
2006092140.tif 000022
【図２０】
2006092140.tif 000023
【図２１】
2006092140.tif 000024
【図２２】
2006092140.tif 000025
【図２３】
2006092140.tif 000026
【図２４】
2006092140.tif 000027